(57)【要約】【課題】  ファーストフード店やコーヒー店のような大量の使い捨てコップや使い捨て蓋を使用する店舗におけるコップ等の補充や取出しが容易である収納具を提供する。【解決手段】  所定のウエイトを具備した台座部１の上面に、鉛直中心線から点対象に放射状に３〜６個のガイド孔１３を設け、頭部に縦ネジ孔を設けた移動軸体２１を、前記頭部をガイド孔から突出せしめて移動が規制されるように台座部内に組み込み、前記移動軸体の下方部が嵌合して移動体の動作を規制すると共に、移動軸体位置が中心線方向に移動するのに対応して円周方に移動する形状に形成したカム孔を備えたカム板を前記中心線で台座部に枢結し、使用対象に対応して前記縦ネジ孔に、拡径頭部を備えた制止ネジ４１を螺合装着したり、適宜高さの棒状の制止棒４２を螺合立設する。【選択図】図１
0003102268.tif 000002
【実用新案登録請求の範囲】
【請求項１】
所定のウエイトを具備した台座部上面に、放射状に３〜６個のガイド孔を設け、頭部に縦ネジ孔を設けた移動軸体を、前記頭部をガイド孔に嵌合せしめて移動が規制されるように台座部内に組み込み、前記移動軸体の下方部が嵌合して移動軸体の動作を規制すると共に、移動軸体位置が中心方向に移動するのに対応して円周方向に移動する形状に形成したカム孔を備えたカム板を前記中心で台座部に枢結してなることを特徴とする積層部材の収納具。
【請求項２】
移動軸体の直径方向移動量と円周方向移動量を約同一とするカム孔形状を採用してなる請求項１記載の積層部材の収納具。
【請求項３】
移動軸体の直径方向移動量より円周方向移動量が大きくなるカム孔形状を採用してなると共に、カム板に連結してカム板の外部回動操作を可能とした操作部を台座部側方に突出形成してなる請求項１記載の積層部材の収納具。
【請求項４】
台座部を箱型として有底構造とし、移動軸体の下方部に、前記台座部の内底面に当接すると共に下方へ付勢した樹脂製の脚部を付設してなる請求項１乃至３記載の積層部材の収納具。
【請求項５】
縦ネジ孔に拡径頭部を備えた制止ネジを螺合して使い捨てコップ用とした請求項１乃至４記載のいずれかの積層部材の収納具。
【請求項６】
縦ネジ孔に適宜高さの棒状の制止棒を螺合立設して使い捨て蓋体用とした請求項１乃至４記載のいずれかの積層部材の収納具。
【考案の詳細な説明】
【技術分野】
【０００１】
本発明は、紙コップやプラスチックコップなどの使い捨てコップや、前記の使い捨てコップに使用される蓋体等の積層部材の収納に際して、１個毎の取り出しが容易である積層部材の収納具に関するものである。
【背景技術】
【０００２】
使い捨てコップなどは、円錐台形状にして差し込み積層され、そのままコップディスペンサに収納し、コップディスペンサの下部取り出し口から１個毎取り出して使用に供されるものである（特許文献１）。
【０００３】
また特に使い捨てコップの包装材自体の取り出し口近傍に、窄み部を設けると共に窄み部に縦スリットを設け、窄み部を拡径可能として使い捨てコップの１個毎の取り出しを可能としているものもある（特許文献２）。
【０００４】
【特許文献１】特開平２−１９２８６号公報。
【特許文献２】特開昭６２−２２０４６７号公報。
【考案の開示】
【考案が解決しようとする課題】
【０００５】
ところで使い捨てコップを多数使用するファーストフード店やコーヒー店では、特別な構造であるコップディスペンサを使用しても、頻繁にコップの供給が必要となり逆に使い難い。
【０００６】
また包装材自体に１個取出機能を備えさせたとしても、収納コップが少なくなると、逆に包装材自体が邪魔になってしまう。
【０００７】
そこで本考案は、コップ保持構造が簡単で且つコップ補充作業のための操作を容易にして、ファーストフード店などで使い易い積層部材の収納具を提案したものである。
【課題を解決するための手段】
【０００８】
本考案に係る積層部材の収納具は、所定のウエイトを具備した台座部上面に、放射状に３〜６個のガイド孔を設け、頭部に縦ネジ孔を設けた移動軸体を、前記頭部をガイド孔に嵌合せしめて移動が規制されるように台座部内に組み込み、前記移動軸体の下方部が嵌合して移動体の動作を規制すると共に、移動軸体位置が中心方向に移動するのに対応して円周方向に移動する形状に形成したカム孔を備えたカム板を前記中心で台座部に枢結してなることを特徴とするものである。
【０００９】
而して使用対象の積層部材の種類に対応して、前記縦ネジ孔に拡径頭部を備えた制止ネジを螺合装着し、制止ネジを手で押し拡げたり、カム板を回動させることで互いの間隔を大きくし、積層したコップを伏せた状態で台座部上面中心に配置し、制止ネジを最下段コップの鍔部に係止すると、積層したコップが伏せた状態で収納される。従ってコップ使用に際しては単に上方から順次引き抜いて使用すれば良い。特に制止ネジの拡開操作及び窄狭操作に際して、対向する２個の制止ネジを操作することやカム板を回動操作することで、同時に全ての制止ネジが動作するので、制止ネジでのコップの係止が正しくなされることになる。
【００１０】
また前記の制止ネジに代えて縦ネジ孔に適宜高さの棒状の制止棒を螺合立設すると、倒伏し易い使い捨て蓋を積層状態で収納でき、コップ同様に使用時に上方から順次取出せば良いものである。
【考案の効果】
【００１１】
以上のとおりの構成の積層部材（使い捨てコップや使い捨て蓋）の収納具は、非常に簡易な構造で、積層部材の積層状態での収納供給（部材の補充）が簡単な操作で実施できると共に、その部材取出しも単に上方から１個毎取出せば良く、ファーストフード店やコーヒー店などの多数の積層使い捨て部材を使用する店舗において、非常に使い易い器具としたものである。
【考案を実施するための最良の形態】
【００１２】
次に考案の実施の形態について説明する。実施形態で示した収納具は、移動軸体部分を手動で操作することを想定した器具を例としたものである。
【００１３】
実施形態器具は、台座部１と、移動軸体部２と、カム板部３と、制止部４とで構成される。
【００１４】
台座部１は、下方開口箱型の本体１１と本体１１の下部開口を閉塞するウエイト板１２とを備え、本体１１の上面板には中心から放射状に４個（３〜６個で良いが４個が最適）のガイド孔１３を設け、下方開口部には連結ナット部１４を付設し、ウエイト板１２を止着ネジ１５で一体化するようにしてなるもので、後述する移動軸体部２とカム板部３を本体１１内に組み込んだ後本体１１の下方開口部分を塞ぐようにしたものである。
【００１５】
なおガイド孔１３の長さは、使用対象の使い捨てコップＡや使い捨て蓋Ｂの大きさに対応して定まり、幅は後述する移動軸体部２の移動軸体２１の大きさによって定まる。
【００１６】
移動軸体部２は、移動軸体２１と、内天板２２と、２個の座金板２３と、発条２４と、脚部２５とで構成される。
【００１７】
移動軸体２１は、内部ネジ（縦ネジ孔２１１）を穿設した軸体で、頭部２１２の下方に鍔部２１３を周設してなる。内天板２２は、前記頭部２１２を前記ガイド孔１３より上方へ突出させた際に、上方への軸体２１の抜けを各自に防止するために、鍔部２１３と台座部本体１１の上面板の裏面との間に介在させるものである。
【００１８】
また座金板２３は、後述するカム板部３のカム板３１のカム孔３２に移動軸体２１を挿通する際のカム板３１の上下に配置するものである。脚部２５は樹脂製で底面を平滑面としたもので、発条２４を介設して移動軸体２１に装着（嵌め込み）するもので、ウエイト板１２を本体１１に止着した際に、ウエイト板１２の内面と当接するものである。
【００１９】
カム板部３は、カム板３１と枢結軸３３からなり、枢結軸３３で、カム板３１を中心線上に水平回動自在に、台座部本体１１の上面板の裏面に枢結するもので、カム板３１には所定のカム孔３２を形成しているものである。
【００２０】
カム孔３２は、前記移動軸体２１の下方部分が嵌合挿通する大きさで、中心に向かうと同時に円周方向に移行する形状で、特に本実施形態では、ガイド孔１３に添って移動軸体２１が直径方向へ移動する量（距離）と、下方部分を挿通したカム孔３２によってカム板３１が円周方向に移動させられる量（距離）を約同一としたものである。
【００２１】
制止部４は、制止ネジ４１と制止棒４２を選択的に使用するもので、制止ネジ４１は、縦ネジ孔２１１に螺合するネジ部４３と、拡径頭部４４とを備えたものであり、制止棒４２は基部に縦ネジ孔２１１に螺合するネジ部４５を備えた適宜高さの棒状体である。
【００２２】
而して前記器具においてその使用対象に応じて制止ネジ４１か制止棒４２を使用するもので、図２に示すとおり使い捨てコップＡに使用する場合には制止ネジ４１を使用し、使い捨て蓋Ｂに使用する場合には図３に示すように制止棒４２を使用するものである。
【００２３】
使い捨てコップＡの場合には縦ネジ孔２１１に制止ネジ４１を螺合装着するものであるが、特に拡径頭部４４が所定の高さ（使い捨てコップＡの鍔部ａより上方の位置）となるようにしているものである。
【００２４】
そして対向する制止ネジ４１の拡径頭部４４を両手で持って押し拡げると、制止ネジ４１の位置がガイド孔１３内で移動すると共に、カム孔３２にも添って移動し、この移動によってカム板３１を回動させ、非操作の制止ネジ４１も操作した制止ネジ４１に対応して開拡動作することになる。
【００２５】
前記の拡がった状態で積層した使い捨てコップＡを伏せる形で台座部１の上面中心に載置し、更に対向する制止ネジ４１を手で狭閉操作して、拡径頭部４４で最下段の使い捨てコップＡの鍔部ａを抑えることで、積層状態の使い捨てコップＡの保持収納を行い、最上段のコップを順次抜き取って使用するものである。この狭閉操作に際しても対向制止ネジ４１の操作で他の制止ネジ４１も同時に操作されることになる。
【００２６】
特にカム孔３２の形状を、移動軸体２１の直径方向移動量（距離）と、円周方向移動量（距離）を約同一となるようにしたものであり、また移動軸体部２が脚部２５とウエイト板１２の内面とを当接せしめて適宜な移動抵抗を備えることで、単一の制止ネジ４１を操作したのみでは、他の制止ネジ４１が連動せず、対向する制止ネジ４１を同時に操作することで制止ネジ４１の連動が実現するもので、誤って単一の操作ネジ４１に触れても使い捨てコップＡの保持収納が解除されない。
【００２７】
次に使い捨て蓋体Ｂの収納に使用する場合には、使い捨てコップＡの収納に使用する制止ネジ４１に代えて縦ネジ孔２１１に適宜高さの棒状の制止棒４２を螺合立設し、積層状態の使い捨て蓋Ｂを制止棒４２によって倒伏を防止して積層状態を維持させるものである。
【００２８】
勿論制止棒４２の開拡操作及び狭閉操作並びに制止棒４２の連動は制止ネジ４１の操作の場合と同様である。
【００２９】
また前記した実施形態は、対向する制止ネジ４１又は制止棒４２の手動操作によって他の制止部を連動させる構成について説明したが、特にカム孔形状を、移動軸体の直径方向移動量より円周方向移動量が大きくなるようにすると、制止部の操作（直径方向移動）ではカム板の抵抗が大きくなって操作できない。
【００３０】
そこで前記のカム孔形状を採用すると共に、カム板に外部回動操作を可能とした操作部を付設すると、当該操作部によるカム板の回動によって、制止部の連動が実現する。
【図面の簡単な説明】
【００３１】
【図１】本考案の実施形態の全体斜視図。
【図２】同使用状態（使い捨てコップの場合）を示す正面図。
【図３】同使用状態（使い捨て蓋の場合）を示す正面図。
【図４】同分解正面図。
【図５】同組立説明図。
【図６】同カム板の平面図。
【図７】同カム板の作用説明図。
【符号の説明】
【００３２】
１        台座部
１１      本体
１２      ウエイト板
１３      ガイド孔
１４      連結ナット部
１５      止着ネジ
２        移動軸体部
２１      移動軸体
２２      内天板
２３      座金板
２４      発条
２５      脚部
３        カム板部
３１      カム板
３２      カム孔
３３      枢決軸
４        制止部
４１      制止ネジ
４２      制止棒
４３，４５    ネジ部
４４      拡径頭部
【図１】
0003102268.tif 000003
【図２】
0003102268.tif 000004
【図３】
0003102268.tif 000005
【図４】
0003102268.tif 000006
【図５】
0003102268.tif 000007
【図６】
0003102268.tif 000008
【図７】
0003102268.tif 000009